(57)【特許請求の範囲】
【請求項１】
積層状態で収容された複数のシート状の媒体から前記媒体を一枚ずつに分離して搬送する分離搬送経路を複数備え、
前記媒体に対して情報処理を行う処理部に向けて、前記媒体を前記複数の分離搬送経路から共通の処理搬送経路で搬送する搬送機構であって、
前記複数の分離搬送経路は、それぞれ、協働して前記媒体を一枚ずつに分離して搬送する搬送ローラ及び分離ローラを有し、
前記分離搬送経路の一つは、装置本体の後部側から前記媒体を供給可能なリヤ給紙部からの分離搬送経路であり、
前記複数の分離搬送経路のそれぞれの一部と前記リヤ給紙部とが共通のユニットとして形成され、前記ユニットを前記装置本体に対して開くことで、前記複数の分離搬送経路が共に露出されるとともに、前記リヤ給紙部からの分離搬送経路の前記搬送ローラと前記分離ローラとが離間することを特徴とする搬送機構。
【請求項２】
請求項１に記載の搬送機構であって、
前記リヤ給紙部からの分離搬送経路における、前記搬送ローラは、前記装置本体に装着され、前記分離ローラは前記ユニットに移動可能に装着された支持部材に支持され、
前記支持部材は、前記装置本体に係合する係合部を備えるとともに前記リヤ給紙部からの分離搬送経路の一部を形成するものであり、前記係合部側に弾性力により付勢されており、
前記ユニットを前記装置本体に対して閉じたときに、前記支持部材の前記係合部が前記装置本体に係合することで、前記搬送ローラ及び前記分離ローラが所定位置に位置決めされると共に前記リヤ給紙部からの分離搬送経路が形成されることを特徴とする搬送機構。
【請求項３】
請求項１または２に記載の搬送機構を備え、
前記処理部が前記媒体に対して印刷処理を行う印刷ヘッドを備えていることを特徴とする記録装置。
【発明の詳細な説明】
【技術分野】
【０００１】
本発明は、積層状態で収容された複数のシート状の媒体から、媒体を一枚ずつに分離して搬送する分離搬送経路を備える搬送機構及びそれを備えた記録装置に関するものである。
【背景技術】
【０００２】
上記搬送機構を備えた装置の一例として、パソコン等に接続されるプリンタ（記録装置）が挙げられる。
【０００３】
プリンタでは、外観を提供する装置ケースに、被搬送物である用紙が積層状態で収容される収容部や、収容部から用紙を一枚ずつに分離して所定の経路に沿って搬送する搬送機構や、経路の途中に装備され、搬送されてくる用紙に文字や図形等の画像を記録する処理装置である記録部や、必要に応じて記録部に所定の移動動作を付与する記録部操作機構等の各種の動作機器が組み込まれている。
【０００４】
このようなプリンタにおいて、装置本体に対して開閉可能なユニットに、用紙を搬送する搬送経路の一部を形成したものがある（例えば、特許文献１参照）。このプリンタでは、搬送経路内で用紙の詰まり等を生じた場合に、ユニットを装置本体に対し開いて、露出した搬送経路から詰まった用紙を除去するようになっている。
【０００５】
また、別のプリンタとして、積層状態で収容された複数の用紙から用紙を一枚ずつに分離して搬送する分離搬送経路を有し、この分離搬送経路が用紙除去時に開放可能に構成されたものがある（例えば、特許文献２参照）。このプリンタでは、分離搬送経路内で用紙の詰まり等を生じた場合に、分離搬送経路を開放して、詰まった用紙を除去するようになっている。
【０００６】
【特許文献１】特開平１１−８４９８１号公報
【特許文献２】特開平１０−１７１８１号公報
【発明の開示】
【発明が解決しようとする課題】
【０００７】
ところで、積層状態で収容された用紙を一枚ずつに分離して搬送する分離搬送経路を複数備えたプリンタに対して、上記技術を適用した場合には、内部に生じた用紙の詰まりを解消するために各分離搬送経路をそれぞれ個別に開放しなければならなくなってしまう。よって、ユーザにこれらの分離搬送経路のそれぞれの開放手順の習得を強いることになり、用紙詰まりの解消作業時の取り扱い性が劣ることになるばかりか、用紙の詰まりからの復旧作業に混乱を招くおそれがある。
【０００８】
そこで、本発明の目的は、積層状態で収容された複数のシート状の媒体から媒体を一枚ずつに分離して搬送する分離搬送経路を複数備えていても、媒体詰まりの解消作業時の取り扱い性に優れ、媒体詰まりからの復旧作業が容易な搬送機構及びそれを備えた記録装置を提供することにある。
【課題を解決するための手段】
【０００９】
上記課題を解決することのできる本発明に係る搬送機構は、積層状態で収容された複数のシート状の媒体から前記媒体を一枚ずつに分離して搬送する分離搬送経路を複数備え、前記媒体に対して情報処理を行う処理部に向けて、前記媒体を前記複数の分離搬送経路から共通の処理搬送経路で搬送する搬送機構であって、前記複数の分離搬送経路のそれぞれの一部が共通のユニットとして形成され、前記ユニットを装置本体に対して開くことで、前記複数の分離搬送経路が共に露出されることを特徴とする。
【００１０】
この構成の搬送機構によれば、複数設けられた分離搬送経路のそれぞれの一部が共通のユニットとして形成されているため、そのユニットを装置本体に対して開くことで、複数の分離搬送経路が共に露出される。そのため、ユーザは一つの開放手順を習得すれば複数の分離搬送経路を同時に露出させることができる。よって、媒体詰まりの解消作業時の取り扱い性に優れ、媒体詰まりからの復旧作業が容易となる。
【００１１】
また、前記複数の分離搬送経路は、それぞれ、協働して前記媒体を一枚ずつに分離して搬送する搬送ローラ及び分離ローラを有するとともに、前記ユニットを前記装置本体に対して開いた状態では前記搬送ローラと前記分離ローラとが離間していることが好ましい。
【００１２】
この構成によれば、ユニットを装置本体に対して開いた状態では、複数の分離搬送経路のそれぞれの搬送ローラ及び分離ローラは互いに離間している状態にあるため、媒体が搬送ローラと分離ローラの間に挟まれて詰まった場合でも、復旧作業が容易である。
【００１３】
また、前記複数の分離搬送経路のうちの少なくとも何れか一つは、前記ユニットを前記装置本体に対して開くことで前記搬送ローラと前記分離ローラとが離間することが好ましい。
【００１４】
この構成によれば、搬送ローラと分離ローラを分離させるための分離動作機構を設けなくても、ユーザがユニットを開く動作のみで搬送ローラと分離ローラを分離させることができる。
【００１５】
また、前記搬送ローラは、前記装置本体に装着され、前記分離ローラは前記ユニットに移動可能に装着された支持部材に支持され、前記支持部材は、前記装置本体に係合する係合部を備えるとともに前記分離搬送経路の一部を形成するものであり、前記係合部側に弾性力により付勢されており、前記ユニットを前記装置本体に対して閉じたときに、前記支持部材の前記係合部が前記装置本体に係合することで、前記搬送ローラ及び前記分離ローラが所定位置に位置決めされると共に分離搬送経路が形成されることが好ましい。
【００１６】
この構成によれば、ユニットを装置本体に対して開くと、複数の分離搬送経路のうちの少なくとも何れか一つの搬送ローラと分離ローラとが離間することになるが、媒体詰まりの解消後、ユニットを装置本体に対して閉じると、分離ローラを支持する支持部材に設けられた係合部が、装置本体に係合し、離間していた搬送ローラと分離ローラとを位置決め機構が位置決めすることになる。ユニットは閉じた状態であっても開閉動作を行わせるためのクリアランスによりガタつきが生じることがあるが、搬送ローラと分離ローラは弾性力により付勢されて所定位置に位置決めされているため、搬送ローラと分離ローラによって媒体を一枚ずつに分離して搬送することが安定して行われる。したがって、分離搬送経路の露出による媒体詰まりの解消作業性と、媒体の分離搬送性を両立して得ることができる。
【００１７】
また、本発明に係る記録装置は、上記本発明に係る搬送機構を備え、前記処理部が前記媒体に対して印刷処理を行う印刷ヘッドを備えていることを特徴とする。
【００１８】
このように構成された記録装置は、印刷ヘッドで印刷処理を行う際などに搬送機構内で媒体の詰まりが発生しても、詰まった媒体の除去作業を容易に行うことができ、取り扱い性及び保守性に優れている。
【発明を実施するための最良の形態】
【００１９】
以下、本発明に係る搬送機構及びそれを備えた記録装置の実施形態の一例を、図面を参照しつつ詳細に説明する。
図１〜図８は本発明に係る記録装置の一実施形態を示したものであり、図１は本発明に係る記録装置の前面側斜め上方から見た斜視図、図２は図１に示した記録装置の後面側斜め上方から見た斜視図、図３は図１に示した記録装置の構造を示す部分側断面図、図４は記録装置のユニットの開状態を示す部分側断面図、図５は記録装置のユニットの開状態を示す位置決め機構を説明するための部分側断面図、図６は記録装置のユニットの閉途中状態を示す位置決め機構を説明するための部分側断面図、図７は記録装置のユニットの閉直前の状態を示す位置決め機構を説明するための部分側断面図、図８は記録装置のユニットの閉状態を示す位置決め機構を説明するための部分側断面図である。
【００２０】
本実施形態の記録装置１は、リヤ給紙可能なフロント給・排紙タイプの業務用プリンタであり、図１に示すように、下部ケース３と上部ケース５とから構成される装置ケース７の前面中央に、シート状の媒体である用紙を複数枚積層状態で装填した略箱形の用紙カセット９が着脱自在に装着されている。
【００２１】
また、図２に示すように、この記録装置１は、装置ケース７の後方側における上部に、用紙を複数枚積層状態で給紙可能なリヤ給紙部３０を備えており、このリヤ給紙部３０によって後部上方側からの給紙が可能とされている。また、用紙カセット９の上面開放部を覆うように、印刷が終了した用紙を受ける排紙トレイ１１が装備されている。また、装置ケース７の前面の両側には、動作状態を表示する表示部１３や、内側にインクカートリッジを収容するカートリッジ収容部１４が設けられている。
【００２２】
装置ケース７内には、図３に示すように、用紙を搬送するための搬送機構として、用紙カセット９に上下方向に積層状態で収容された複数の用紙から用紙を一枚ずつに分離して装置後方に繰り出す用紙繰り出し機構２１と、この用紙繰り出し機構２１が繰り出した用紙を円弧状の分離搬送経路Ａに沿って搬送する円弧状搬送部２３と、この円弧状搬送部２３から搬送されてきた用紙を直線状の処理搬送経路Ｂに沿って記録部２９による印刷処理位置に挟持して搬送する紙送りローラ対２５，２６と、記録部２９によって印刷が済んだ用紙を装置前面の排紙トレイ１１に排出する排出搬送機構３１が設けられている。なお、紙送りローラ対２５，２６は、一方が駆動ローラ２５であり、他方が補助ローラ２６である。
【００２３】
用紙繰り出し機構２１は、先端に繰り出し用のピックアップローラ３３を備えたフレーム３４の後端が支持ピン３５によって図中上下方向に回動可能に構成されている。この用紙繰り出し機構２１は、フレーム３４の上下方向の揺動により、用紙カセット９内の最上部の用紙に対してピックアップローラ３３を接触させる。用紙繰り出し機構２１は、記録装置１の休止時にはフレーム３４が水平に維持されて、ピックアップローラ３３が用紙カセット９上の用紙から離れた状態に保たれる。
【００２４】
そして、記録装置１の給紙時には、支持ピン３５を中心とするフレーム３４の下方への回動によって、ピックアップローラ３３が用紙カセット９上の用紙に押し付けられ、ピックアップローラ３３の回転によって用紙カセット９上の用紙が傾斜した分離パッド３６に当接して、その摩擦力と用紙のこしの強さによって分離され、さらに搬送ローラ３９及び分離ローラ２２で確実に一枚ずつに分離されて円弧状搬送部２３側に繰り出される。給紙が済んで、記録部２９によって印刷が開始される時には、フレーム３４は元の水平状態に戻される。
【００２５】
円弧状搬送部２３は、分離搬送経路Ａの外側（記録装置１の背面側）に設けられ略円弧状に湾曲したガイド面３７を有するガイド部３８と、分離搬送経路Ａの内側（記録装置１の前面側）に設けられガイド面３７の下方から上方に向かって用紙を送る搬送ローラ３９とを備えた構成である。また、ガイド部３８は、下方側に設けられた分離ローラ２２と、上方側に設けられたアシストローラ２４とを有している。
【００２６】
そして、ピックアップローラ３３によって送り出された用紙は、搬送ローラ３９と分離ローラ２２との協働によって一枚ずつに分離され、これら搬送ローラ３９と分離ローラ２２とで挟持されて搬送され、さらに、ガイド部３８と搬送ローラ３９とで案内され、搬送ローラ３９とアシストローラ２４とによって挟持されて搬送される。これにより、用紙カセット９内に積層状態で収容された用紙は、分離搬送経路Ａで一枚ずつに分離されて搬送され、その先端部が装置前面側へ向けられて処理搬送経路Ｂへ送り出される。
【００２７】
なお、分離ローラ２２は、用紙繰り出し機構２１の稼動時に、用紙繰り出し機構２１を稼動させるモータの動力を利用して、搬送ローラ３９に向けて付勢され、搬送ローラ３９に接触するようになっており、用紙繰り出し機構２１の非稼動時には分離ローラ２２が搬送ローラ３９から離間した位置に退避する。
【００２８】
処理搬送経路Ｂに設けられた紙送りローラ対２５，２６は、分離搬送経路Ａの出口端から装置前面側に所定距離離れた位置に設けられており、円弧状搬送部２３から送り出されてきた用紙を挟持して処理位置である記録部２９の下に搬送する。つまり、上記のように分離搬送経路Ａから一枚ずつ分離状態で搬送されてきた用紙を、処理搬送経路Ｂは記録部２９に搬送し、記録部２９で画像を形成して、排紙トレイ１１に排紙する。
【００２９】
また、この記録装置１は、搬送機構として、円弧状搬送部２３の上方側に、前述のリヤ給紙部３０を備えている。このリヤ給紙部３０は、複数枚の用紙が装置前後方向に積層状態で収容されるもので、リヤ給紙部３０に装填された複数枚の用紙から用紙を一枚ずつに分離して装置前方に繰り出すとともに分離搬送経路Ｃに沿って搬送する用紙繰り出し搬送機構５０が設けられている。
【００３０】
用紙繰り出し搬送機構５０は、互いに協働して用紙を一枚ずつに分離し挟持して搬送する搬送ローラ５２及び分離ローラ５３を有している。また、用紙繰り出し搬送機構５０は、搬送ローラ５２及び分離ローラ５３を含む分離搬送経路Ｃの外側（下側）に設けられ略円弧状に湾曲したガイド面５５を有するガイド部５６を有しており、前述した分離搬送経路Ａとは別の分離搬送経路Ｃから、分離搬送経路Ａ，Ｃに共通の処理搬送経路Ｂに用紙を送り込む。つまり、この記録装置１は、複数の分離搬送経路Ａ，Ｃからの用紙を共通の処理搬送経路Ｂによって処理部である記録部２９に向けて搬送する。そして、処理搬送経路Ｂは、分離搬送経路Ｃから一枚ずつ分離状態で搬送されてきた用紙についても、これを記録部２９に搬送し、記録部２９で画像を形成して、排紙トレイ１１に排紙する。
【００３１】
本実施形態の場合、図２に示すように、ガイド部３８の後方に位置する装置ケース７の後部には、一対の開閉レバー４１，４２のスライド操作による施錠・解錠操作によって開閉可能な開閉カバーユニット（ユニット）１６が設けられている。そして、図４に示すように、この開閉カバーユニット１６に分離搬送経路Ａのガイド部３８及びアシストローラ２４と、リヤ給紙部３０と、分離搬送経路Ｃのガイド部５６及び分離ローラ５３とが設けられている。他方、記録装置１のうちの開閉カバーユニット１６を除いた装置本体５８に、分離搬送経路Ａの搬送ローラ３９及び分離ローラ２２と、分離搬送経路Ｃの搬送ローラ５２とが設けられている。
【００３２】
つまり、分離搬送経路Ａの一部であるガイド部３８及びアシストローラ２４と、分離搬送経路Ｃの一部であるガイド部５６及び分離ローラ５３とが共通の開閉カバーユニット１６に設けられており、この開閉カバーユニット１６を装置本体５８に対して開くことで、分離搬送経路Ａと分離搬送経路Ｃとが共に露出される。しかも、複数の分離搬送経路Ａ，Ｃのうちの一つである分離搬送経路Ｃでは、協働して用紙を一枚ずつに分離して搬送する搬送ローラ５２及び分離ローラ５３が、開閉カバーユニット１６を装置本体５８に対して開くことで離間する。なお、開閉カバーユニット１６を開いた時には用紙繰り出し機構２１は稼動していないので、分離ローラ２２は搬送ローラ３９から離間した位置に退避している。
【００３３】
そして、本実施形態の場合、図５〜図９に示すように、開閉カバーユニット１６を装置本体５８に対して開くことで離間する装置本体５８側の搬送ローラ５２と開閉カバーユニット１６側の分離ローラ５３とを、開閉カバーユニット１６を装置本体５８に対して閉じたときに位置決めする位置決め機構６０が設けられている。
【００３４】
以下、位置決め機構６０について詳述する。
開閉カバーユニット１６は、装置本体５８に対し揺動可能に支持されるユニット本体６１と、このユニット本体６１に支持軸６２を介して揺動可能に支持される支持部材６３とを有しており、分離ローラ５３は支持部材６３に位置固定となるように支持されている。なお、支持部材６３には、分離ローラ５３の近傍および搬送ローラ５２と所定隙間を形成して分離搬送経路Ｃを形成する分離接触部６５（図９参照）が設けられている。この分離接触部６５は、搬送ローラ５２と分離ローラ５３との間に用紙が入っていく際に用紙が接触する箇所であり、分離接触部６５と搬送ローラ５２との間に用紙が３枚以上入らないように配置されるものである。このような分離接触部６５と分離ローラ５３の位置決めを精度良く行なうべく、支持部材６３を位置決めする機構が、この位置決め機構６０である。
【００３５】
そして、支持部材６３には、ユニット本体６１の回動軸に沿う方向に突出して設けられた支持軸６２が、ユニット本体６１にその揺動方向（ユニット本体６１の開閉時回動方向）に沿って円弧状に長くなるように形成された略長円状（具体的には、ユニット本体１６の回動支点部を中心とした円弧状に形成された長円状）の支持穴６４に挿嵌されている。すなわち、支持部材６３は、支持穴６４に対する支持軸６２の遊びにより、ユニット本体６１の開閉時回動方向に若干量変位可能となっており、これによりユニット本体６１の装置本体５８に対するガタつき量を吸収できるようになっている。一方、ユニット本体６１が閉じられた状態においてユニット本体６１が揺動方向に多少揺動しても、支持部材６１は支持穴６４が長円状に形成されているのでガタつきが増えることはない。
【００３６】
また、支持部材６３には、係合部である位置決めボス６７が分離ローラ５３と支持軸６２との間に形成されている。加えて、支持軸６２とユニット本体６１との間には、支持軸６２つまり支持部材６３を開閉カバーユニット１６の閉方向である位置決めボス６７の方向に向けて付勢するスプリング６６が介装されている。
【００３７】
他方、装置本体５８には、図５に示す開状態から、図６及び図７に示すように、開閉カバーユニット１６を回動させ、さらに、図８に示すように、開閉カバーユニット１６を装置本体５８に対して閉じるときに、開閉カバーユニット１６の支持部材６３に形成された位置決めボス６７を案内する位置決めガイド６９が形成されている。この位置決めガイド６９は、位置決めボス６７を案内するガイド部６９ａと、規制部６９ｂと、これらガイド部６９ａ及び規制部６９ｂの境界位置に形成された位置決め凹部７０とを有している。
【００３８】
そして、この位置決めガイド６９は、図６に示すように、開状態の開閉カバーユニット１６を回動させて閉じる際に、図７に示すように、ガイド部６８ａが位置決めボス６７を案内するとともに、図８に示すように、規制部６９ｂが位置決めボス６７の移動を規制する。これにより、開閉カバーユニット１６を装置本体５８に対して閉じると、開閉カバーユニット１６の支持部材６３の位置決めボス６７が、図８に示すように、装置本体５８の位置決めガイド６９の位置決め凹部７０に係合される。
【００３９】
このとき、支持部材６３におけるスプリング６６の接触点と位置決めボス６７とを結んだ略延長線方向に位置決め凹部７０が凹んでおり、よって、スプリング６６の弾性付勢力によって、位置決めボス６７が位置決め凹部７０に係合した状態に維持される。これにより、支持部材６３は、位置決めボス６７と閉じられた開閉カバーユニット１６の支持穴６４に挿嵌されている支持軸６２とによって、その位置が位置決めされる。支持部材６３の位置決めボス６７は、側面視位置精度が必要な分離ローラ５３に近接した位置に設けられており、分離ローラ５３近傍の支持部材６３の位置精度は保たれた状態で位置決めされる。
【００４０】
ここで、開閉カバーユニット１６のユニット本体６１が装置本体５８に対して開閉可能に支持されていることから、これらの間にガタつきを生じやすくなっている。しかしながら、開閉カバーユニット１６の支持部材６３はユニット本体６１に対して支持穴６４と支持軸６２との隙間の範囲内で移動可能に支持されており、しかもスプリング６６で付勢されているため、前述したガタつきがあっても支持穴６４が支持軸６２に対して移動することでこれを吸収する。よって、前述したガタつきがあっても位置決めボス６７は位置決め凹部７０への係合状態が維持されることになるため、位置決めボス６７を含む支持部材６３に支持された分離ローラ５３は装置本体５８に支持された搬送ローラ５２に対して、ガタつきとは関係なく、その位置精度を落とすことなく位置決めされた状態が維持される。このように、装置本体５８に装着されている搬送ローラ５２との位置精度が必要な支持部材６３の分離ローラ５３側を装置本体５８に位置決めさせることにより、支持部材６３の位置精度は保たれる。位置決めボス６７は、側面視最も重要な搬送路形成部分（分離接触部６５）の位置と近接した位置（理想的には同位置）に設けられているので、開閉カバーユニット１６がガタにより僅かにその位置が変動しても位置決めボス６７と側面視同位置にある部分は変わらないことから、搬送路の位置精度管理が容易である。
【００４１】
以上説明したように、本実施形態に係る搬送機構及びそれを備えた記録装置１によれば、開閉カバーユニット１６を装置本体５８に対して開くことで、図４に示すように、複数の分離搬送経路Ａ，Ｃが共に露出されるため、一つの開放手順である開閉レバー４１，４２の操作を習得すれば、複数の分離搬送経路Ａ，Ｃを同時に露出できる。よって、積層状態で収容された複数の用紙から用紙を一枚ずつに分離して搬送する複数の分離搬送経路Ａ，Ｃを備えていても、用紙詰まりの解消作業時の取り扱い性に優れ、用紙詰まりからの復旧作業を容易に行うことができる。
【００４２】
また、開閉カバーユニット１６を装置本体５８に対して開くと、複数の分離搬送経路Ａ，Ｃでは、それぞれの搬送ローラ３９，５２及び分離ローラ２２，５３は互いに離間している状態にあるため、用紙が搬送ローラ３９と分離ローラ２２の間、もしくは搬送ローラ５２と分離ローラ５３の間に挟まれて詰まった場合でも、詰まった用紙を容易に取り除くことができて、用紙詰まりからの復旧作業がさらに容易となる。
【００４３】
また、分離搬送経路Ｃでは、開閉カバーユニット１６を開く動作に伴って搬送ローラ５２と分離ローラ５３とが離間するため、搬送ローラ５２と分離ローラ５３を分離させるための分離動作機構を設けなくても、ユーザが開閉カバーユニット１６を開く動作のみで搬送ローラ５２と分離ローラ５３を分離させて分離搬送経路Ｃを露出させることができる。なお、分離搬送経路Ａについても、開閉カバーユニット１６を装置本体５８に対して開くと、搬送ローラ３９と分離ローラ２２とが離間するように、搬送ローラ３９及び分離ローラ２２のうちの一方を開閉カバーユニット１６に設けても良い。
【００４４】
また、開閉カバーユニット１６を装置本体５８に対して開くと、分離搬送経路Ｃの搬送ローラ５２と分離ローラ５３とが離間することになるが、用紙詰まりの解消後、開閉カバーユニット１６を装置本体５８に対して閉じると、離間していた搬送ローラ５２と分離ローラ５３とを位置決め機構６０が自動的に位置決めすることになる。よって、用紙詰まりからの復旧作業が一層容易となる。
また、位置決め機構６０は、分離ローラ５３をスプリング６６の弾性力により搬送ローラ５２に向けて付勢して、相互接触状態に位置決めするため、開閉カバーユニット１６がガタついても搬送ローラ５２と分離ローラ５３による用紙の分離搬送作業が安定して行われる。したがって、分離搬送経路Ｃを露出させるために開閉カバーユニット１６を開く構成を採用しても、用紙の分離搬送性を損うことがない。
【００４５】
なお、本発明に係る搬送機構は、上記の実施形態として説明した記録装置以外の装置に設けることも可能である。例えば、スキャナ、コピー機、ファクシミリ、紙幣両替機、発券機など、上記実施形態と同様な円弧状経路又は上記の円弧状経路が複数装備される複雑な経路が被搬送物の経路として設けられる各種機器に応用することができる。
また、上記実施形態では、シート状の媒体として、用紙を例にとって説明したが、本発明は、樹脂製のフィルム等からなる媒体も適用可能である。
【図面の簡単な説明】
【００４６】
【図１】本発明に係る記録装置の前面側斜め上方から見た斜視図である。
【図２】図１に示した記録装置の後面側斜め上方から見た斜視図である。
【図３】図１に示した記録装置の構造を示す側断面図である。
【図４】記録装置のユニットの開状態を示す側断面図である。
【図５】記録装置のユニットの開状態を示す位置決め機構を説明するための側断面図である。
【図６】記録装置のユニットの閉途中状態を示す位置決め機構を説明するための側断面図である。
【図７】記録装置のユニットの閉直前の状態を示す位置決め機構を説明するための側断面図である。
【図８】記録装置のユニットの閉状態を示す位置決め機構を説明するための側断面図である。
【図９】記録装置のユニットに設けられた分離ローラを支持する支持部材およびその周辺を示す側断面図である。
【符号の説明】
【００４７】
１…記録装置、１６…開閉カバーユニット（ユニット）、２９…記録部（処理部）、５２…搬送ローラ、５３…分離ローラ、５８…装置本体、６０…位置決め機構、Ａ…分離搬送経路、Ｂ…処理搬送経路、Ｃ…分離搬送経路。
【図１】
0004985470.tif 000002
【図２】
0004985470.tif 000003
【図３】
0004985470.tif 000004
【図４】
0004985470.tif 000005
【図５】
0004985470.tif 000006
【図６】
0004985470.tif 000007
【図７】
0004985470.tif 000008
【図８】
0004985470.tif 000009
【図９】
0004985470.tif 000010